(57)【要約】【課題】解決しようとする問題点は、寝たきり老人等が床ずれ、骨の変形などの二次的弊害を起こさないために体を動かし続ける必要があるのだが、そのための、寝返りや起き上がりが自動的に行える健全なベットが無いということである。【解決手段】  本発明は、寝返りを打つために、カーブ型てこを用い、右に左にとベットの床が好きな時間間隔で自動的に傾き、療養者の体位を変えることが出来ることである。また、必要に応じて起き上がるために背もたれとなる強力てこを用い座ることが出来る安全なベットを作ることである。また、長期間寝ていても吸湿放湿保温性のある畳をベット床部分に使用することで、床ずれや骨の変形から療養者を守ることが出来るということである。【選択図】図１2005111211.tif 000003
2005111211.tif 000002
【特許請求の範囲】
【請求項１】
ベット床部分を右に左にと傾けるために縦に３等分に分け、中央部分が右にも左にも関われるようにした。また、ベット床部分を、座る場合、背もたれとして起こせるように真ん中からも折れるようにした。つまり、縦３列、横２列の６パーツで床を構成した。
縦にも横にも傾けて交差できるために、寝返り用にカーブ型てこを２列の支点に配置し、右カーブ型てこの支点は中心より右に、左カーブ型てこの支点は中心より左にそれぞれ縦に配置した。この支点に設置されたてこは各々４５度まで傾くようにしてある。傾きを多くしたい場合はカーブを１．５倍まで大きく出来るが今回は４５度が適当と判断した。
【請求項２】
その両カーブ型てこの上の中央に、縦に、座る場合の背もたれ用強力てこを設置した。これは中央横軸を支点として８０度位まで立ち上がる。それ以上あがるが８０度が適当と判断した。カーブ型てこが作動する時は、中央横軸と背もたれ用強力てこはそのまま固定されている。横軸の端の隙間と背もたれ用強力てこの下を通ってカーブてこが４５度まで持ち上がり寝返りが打てるわけである。このカーブてこの数は材質と製作状況に依って変える。また、右に上がる場合も左に上がる場合もどちらも端のカーブてこが重ならないように、てこの数は奇数となるので頭の方と足の方にカーブてこ無しの片端が出来るが、寝ている時は同等で力的にはベットは構成出来る。
【請求項３】
背もたれ用強力てこの上端と下端に、小畳３枚を乗せるよう枠を設けた。これは布団と使用者を乗せるので強力である必要がある。ベット床に敷く畳は、それぞれ右に左に上に動けるよう一畳分が３枚２列の合計６枚に分かれる。畳の厚さは０．０６ｍとする。小畳の入る枠は、底面をアルミ版で、周りをポリプロピレン０．０３ｍの高さで囲い、小畳を枠の中に固定して一つのパーツとする。底面のアルミ版は背もたれ用強力てこで持ち上げられた時にずれ無いよう、背もたれ用強力てこに設けられた突起部分がはまる０．１ｍ以内の穴を設ける。ここに背もたれ用強力てこに設けられた突起部分がはめ込まれて引っかかり、上下したり外されたりする。背もたれ用強力てこの上端と下端の枠の部分にも同じく突起部分が設けられアルミ版の穴にはまり引っかける。また、この穴とは別に寝返り用カーブてこが納まったり外されたりする穴もアルミ版に別穴で設定される。また、このアルミ版には内側に小突起を設け畳に食い込んで畳を動き難くする。周りの０．０３ｍの高さのポリプロピレンは柔軟性があり、畳を入れ易く、また、しっかり押さえ付ける役目をし、持ち上げられたり押しつけられたりする時の緩衝に役立たせる。畳自身も緩衝に役立だつ。ベット床の材質を体に良い旧来の畳で製作する。これは最近の製法で作られている芯に発砲スチロールを使用したもので無い物とする。一畳の畳を６等分して再組み合わせする。畳は取替えが利き環境保全にも役立つ。
【請求項４】
畳が納まる各パーツ外枠は、てこが持ち上げられたり傾いたりする時、その隣接部分が押されるのでその歪みが吸収されるようベット外枠の内側に緩衝を受け止める弾力材を設ける。指１、２本分位の厚さの緩衝は受け止める。
【請求項５】
右寝返り用のカーブ型てこと、左寝返り用のカーブ型てこにはそれぞれタイマー付き電動モーターをその支点の棒の部分に取り付け、２〜４時間間隔で右、左と交互に静かに回転させ、寝返り用カーブ型てこを回転させ寝返り操作が行われるようにする。
背もたれ用強力てこの支点にはタイマーは付けず電動回転モーターだけで、介護者が療養者の腰のある位置とベットの曲がる位置が合うかどうかを確認し、必要な角度を決めて中央横軸に付けた回転モーターを操作しながら背もたれを上げ下げする。
【請求項６】
既成の敷き布団でも間に合うが、特製の自然綿を使用した敷き布団２枚を用い夏冬に備える。この敷き布団は６枚の小畳を押さえて安定させる役目も果たす。ベット床が縦横に傾くので４隅と真ん中に布団止め用突起を設ける。布団はこの位置に紐で結ぶ。
【発明の詳細な説明】
【技術分野】
【０００１】  本発明は、在宅介護福祉機器としてのタイマー付き自動寝返り座り畳ベットである。
【背景技術】
【０００２】  介護用ベットには既に寝返り装置の付いたものがあるがそのどれにおいても長期間寝たきりの高齢者等の肉体の生理機能に配慮が行き届いているとは思われない。短期間の使用者や健常者が試みに寝てみる限りに於いてはその安らぎは心地好いものが感ぜられるかも知れないが、長期間使用し続ける者への配慮は欠けている。その証拠には、長期療養者の中には床ずれや骨の変形が生じ、二次的弊害を余儀なくされている者が多い。【０００３】  長期療養者の内、特に自ら寝返りを打てず、人頼みに頼る他無く、その上、言葉で意思を伝えられない場合に於いて、周期的にベットが寝返りを打ってくれることは生理機能的心理的に人間再生の装置となり得る。これは療養者のみならず介護者の大きな支えと成りうる。【０００４】  老人介護保険が施行されて老人には手厚い介護がなされるようになったとは言え、老人健康施設や老人病院は今だ数も質も不足している。何より自宅において療養出来ることが人間として必要なことである。在宅療養に耐え得る自動寝返り装置の付いたベットがあれば家人の手も空け、時折の確認のみでかなりの療養者が在宅療養に耐え得ると思える。【０００５】  既成のベットの殆どは、表面がビニールで内面がポリウレタン及び一部ワイヤー等の構成であるようだ。これは弾力があり瞬間的には気持ちの良い面もあり、健常者には選ばれ易い。しかし、それらにのみ長期間体を預ける療養者にとっては吸湿放湿が出来無い。それらに比べ、日本古来の畳をベットに使用すれば、藁で作られているので吸湿放湿保温に優れ床ずれ防止に大いに役立つ。
【発明の開示】
【発明が解決しようとする課題】
【０００６】  解決しようとする問題点は、寝たきり老人等が床ずれ、骨の変形などの二次的弊害を起こさないために体を動かし続ける必要があるのだが、そのための、寝返りや起き上がりが自動的に行える健全なベットが無いということである。
【課題を解決するための手段】
【０００７】  本発明は、寝返りを打つために右に左にとベットの床が自動的に動き療養者の体位を変え、必要に応じて起き上がり座るために背もたれとなることが出来る安全なベットを作ることである。また、長期間寝ていても吸湿放湿保温性のある畳をベット床部分に使用することで、床ずれや骨の変形から療養者を守ることが出来るということである。
【発明の効果】
【０００８】  本発明のベットは療養者が自ら寝返りが打てなくても時間を設定すれば定期的に右に左にと部分的に傾き体位を変えることが出来、床ずれを防ぐことが出来る。又、体に良い自然の植物で出来ている藁を主体とした畳をベットの床に使用することで吸湿放湿保温性に富み、長期の療養に適することが出来る。材質的にも格安に供給でき環境保全に役立ち製作もビニール類より簡単であると考えた。
【発明を実施するための最良の形態】
【０００９】  ベット床部分を右に左にと傾けるために縦に３等分に分け、中央部分がその両方に関われるようにした。【００１０】  ベット床部分を、座る場合、背もたれとして起こせるように真ん中から折れるようにした。【００１１】  ベット床の材質を体に良い旧来の畳で製作した。これは最近の製法で作られている芯に発砲スチロールを使用したもので無い物とする。上記２点を考慮すると１畳の畳を６等分して再組み合わせすることになる。【００１２】  上記２点の構造が縦にも横にも傾けて交差できるように、寝返り用のカーブ型てこを支点をずらせて２列に配置し、そのカーブの上に強力なてこを、座る背もたれ用として配置した。
【実施例１】
【００１３】  寝返り用の２列のカーブ型てこと、座る背もたれ用強力てこを組み合わせて基本全体構造とした。右カーブ型てこの支点は中心より右に、左カーブ型てこの支点は中心より左にあり、各々４５度まで傾くようにしてある。傾きを多くしたい場合はカーブを１．５倍まで大きく出来るが今回は４５度が適当と判断した。（図１）【００１４】  左３分の２を右へ傾ける場合の構造は、中央横軸と背もたれ用強力てこはそのまま固定されている。横軸の、枠との隙間と、背もたれ用強力てこの下を通って左カーブてこが４５度まで傾く。このてこの数は材質と製作状況に依って変える。（図２）【００１５】  右３分の２を左へ傾ける場合の構造は、前記と同じく中央横軸と背もたれ用強力てこはそのまま固定されている。横軸の、枠との隙間と、背もたれ用強力てこの下を通って右カーブてこが４５度まで傾く。右の場合も左の場合もどちらかが端のカーブてこが重ならないように、てこの数は奇数となるので、右と左にカーブてこ無しの片端が出来るが、力的にはベットは構成出来る。（図３）【００１６】  背もたれ用強力てこの上端と下端に、畳をセット出来るよう枠を設けた。このてこと枠は小畳３枚がセットされ、且つ、布団と使用者を乗せるので強力である必要がある。（図４〜１）【００１７】  背もたれ用強力てこを上げ、座った時の背もたれとする。８０度位を限度とするよう構造する。もっと上げられるが度が過ぎると危険と思う。（図４〜２）【００１８】  ベット床が縦横に傾くので布団止め用突起を４隅と中央に設ける。布団にはこの位置に結び紐を付ける。（図５）【００１９】  ベット床に敷くのは畳である。それぞれ右に左に上に動けるよう一畳分が３枚２列の合計６枚に分かれる。畳の厚さは０．０６ｍとする。底面をアルミ版で、周りをポリプロピレン０．０３ｍの高さで囲った枠の中に固定して一つのパーツとする。底面のアルミ版は背もたれ用強力てこで持ち上げられた時にずれ無いよう、背もたれ用強力てこに設けられた突起部分がはまる０．１ｍ以内の穴を設ける。ここに背もたれ用強力てこに設けられた突起部分が刺し込まれて、上下したり外されたりする。背もたれ用強力てこの上端と下端の枠の部分にも同じく突起部分が設けられアルミ版の穴にはまる。また、この穴とは別に寝返り用カーブてこが納まったり外されたりする穴も設定される。また、このアルミ版には内側に小突起を設け畳に刺し込んで畳を動き難くしておく。周りの０．０３ｍの高さのポリプロピレンは柔軟性があり、畳を入れ易く、また、しっかり押さえ付ける役目をし、持ち上げられたり押しつけられたりする時の緩衝に役立たせる。畳自身も緩衝に役立だつ。【００２０】  左畳部分３分の２が右側に寝返りする。（図７）【００２１】  右畳部分３分の２が左側に寝返りする。（図８）【００２２】  上畳半分が背もたれ用強力てこで持ち上げらる。（図９〜１）【００２３】  畳部分が納まる各パーツは、てこが持ち上げられたりする時、その隣接部分が押されるのでその歪みが吸収されるよう外枠の内側に緩衝を受け止める弾力材を設置する。指１、２本位の厚さの緩衝は受け止める。（図９〜２）【００２４】  右寝返り用のカーブ型てこと、左寝返り用のカーブ型てこにはそれぞれタイマー付き電動モーターをその支点である棒の部分に取り付け、２〜４時間間隔で棒が静かに回転し、寝返り操作が行われるようにする。【００２５】  背もたれ用強力てこにはタイマーは付けず介護者が療養者の様子を見ながら療養者の腰のある位置とベットの曲がる位置が合うかどうかを確認し、必要な角度を決めて電動モーターを操作して中央横軸の支点を回転させ上げ下げする。【００２６】  既成の敷き布団でも間に合うが、特製の自然綿を使用した敷き布団２枚を用い夏冬に備える。また、この敷き布団は６枚の小畳を押さえて安定させる役目を果たす。【００２７】  ベット全体の高さ調節電動モーターは従来のものを使う。【００２８】  ベットに於ける外枠、脚などにおいても既成のものを使う。
【産業上の利用可能性】
【００２９】  従来の電動寝返りベットはビニール等で作られており、療養者においては床ずれや骨の変形を招き易い。本発明のベットは畳という自然の産物で床が作られ、長期療養者には皮膚や骨にも吸湿放湿保温の役目を果たして最適である。また、畳は、使用後は取替えも出来て環境保全にも役立つ。製作費用の面からも化学製品を使うより格安である。【００３０】  電動寝返りベットは今だ種類が少なく値段も高価である。本発明は材料が手に入り易いだけでなく、個々のパーツが簡単なはめ込み式で出来るので安価に製造出来る。【００３１】  電動構造は各てこの支点部分を電気で動かすだけの簡単構造なので製作もたやすく、操作する使用者もたやすく覚えられる。モーターは、右カーブてこ、左カーブてこの支点部分にタイマー付き傾け回転用電動モーターをそれぞれ１機ずつ、背もたれ用強力てこの支点部分に持ち上げ傾け回転用電動モーターを１機、ベットそのものの高さ調整用１機の合計４機となる。また、簡単なだけでなく、電動部分がベットの中心に寄っており、緩衝部分を多く採用しているので指を挟むくらいでは殆ど怪我をしない。しかし、指はさみ警報装置もいずれ取り付けその瞬間止まる装置も開発したい。
【図面の簡単な説明】
【００３２】
【図１】ベット床部分構造略図と寝返り用カーブ型てこの４５度移動構造図
【図２】ベット左側が寝返った略図
【図３】ベット右側が寝返った略図
【図４】背もたれ用強力てこの上に畳をセットするよう設けた上下の枠とカーブ型てこの両枠
【図５】背もたれ用強力てこが持ち上がった略図
【図６】敷き布団を止めるための突起物
【図７】ベット床用畳
【図８】左ベット床用畳が寝返った略図
【図９】右ベット床用畳が寝返った略図
【図１０】背もたれが立ち上がった略図
【図１１】ベット床部分が収められる緩衝内材が張られた枠
【符号の説明】
【００３３】  １左カーブてこ
２左カーブの支点（電動回転）
３右カーブてこ
４右カーブの支点（電動回転）
５背もたれ用てこ
６背もたれ用てこの支点（電動回転）
７左カーブてこ
８左カーブの支点
９右カーブてこ
１０右カーブの支点
１１背もたれ用てこ
１２左カーブてこ
１３右カーブてこ
１４右カーブてこ
１５右カーブの支点
１６背もたれ用てこ
１７左カーブてこ
１８左カーブてこ
１９左カーブの支点
２０背もたれ用てこ
２１背もたれ用てこ上の枠
２２背もたれ用てこ下の枠
２３背もたれ用てこ
２４隙間
２５隙間（横軸の隙間）
２６背もたれ用てこ下の枠の折れ線（立ち上がり面）
２７カーブてこ支え
２８背もたれ用てこ
２９背もたれ用てこ上の枠
３０背もたれ用てこ下の枠
３１布団止め用突起
３２小畳
３３ポリプロピレン枠
３４左カーブてこ
３５アルミ枠
３６背もたれ用てこ上の枠
３７背もたれ用てこの支点（電動回転）
３８ベット床部分が収められる緩衝内材が張られた枠
３９アルミ枠
４０ポリプロピレン枠
【図１】
2005111211.tif 000004
【図２】
2005111211.tif 000005
【図３】
2005111211.tif 000006
【図４】
2005111211.tif 000007
【図５】
2005111211.tif 000008
【図６】
2005111211.tif 000009
【図７】
2005111211.tif 000010
【図８】
2005111211.tif 000011
【図９】
2005111211.tif 000012
【図１０】
2005111211.tif 000013
【図１１】
2005111211.tif 000014